(57)【要約】【課題】  簡単な建築作業及び運搬作業により、会場の照明環境によらずに商品の広告や展示に関する映像を鮮やかに提示できる設備を一時的に構築できる展示ユニットを提供する。【解決手段】  展示ユニットは、天井部３と、表示部２と、照明ユニット１１とを備える。天井部３は、運搬可能なサイズで構成された天井ユニット３Ｌ，３Ｃ，３Ｒを組み合わせてなる。表示部１は、運搬可能なサイズで構成された表示ユニット１Ｌ，１Ｃ，１Ｒを組み合わせてなり、当該複数の表示ユニットに亘るサイズの映像を表示する。照明ユニット１１は、天井ユニット３Ｌ，３Ｃ，３Ｒの複数の照明埋め込み部のうちの任意の照明埋め込み部に対して装着され、当該装着状態において天井部２から床部２に向けて照明光を出射する。【選択図】      図２
2011153407.tif 000002
【特許請求の範囲】
【請求項１】
運搬可能なサイズで構成された天井ユニットを複数個組み合わせてなる天井部と、
運搬可能なサイズで構成された表示ユニットを複数組み合わせてなり、当該複数の表示ユニットに亘るサイズの映像を表示する表示部と、
前記天井ユニットの複数の照明埋め込み部のうちの任意の照明埋め込み部に対して装着され、当該装着状態において前記天井部から床部に向けて照明光を出射する照明ユニットと
を備えることを特徴とする展示ユニット。
【請求項２】
前記床部は、運搬可能なサイズで構成された床ユニットを複数個組み合わせてなり、当該床部の端部が、前記表示部の下端部に接続されることを特徴とする請求項１に記載の展示ユニット。
【請求項３】
前記天井ユニットの照明埋め込み部は、前記照明ユニットが装着された装着状態において、当該照明ユニットの照明光が前記表示部の表示面に投影されないよう照明光を遮る光遮蔽部を備えることを特徴とする請求項１又は請求項２に記載の展示ユニット。
【請求項４】
前記表示部には住宅内の映像を表示し、
前記各表示ユニットは、他の表示ユニットを組み合わせた状態で、各表示ユニットの端部同士で住宅の窓枠に見えるよう加工がされていること
を特徴とする請求項１乃至請求項３の何れか一項に記載の展示ユニット。
【発明の詳細な説明】
【技術分野】
【０００１】
本発明は、映像を表示する展示ユニットに関する。
【背景技術】
【０００２】
従来より、商品の展示活動や広告活動のために一時的に建築物を立てることが行われている。通常、大規模の展示施設は、建築請負業者に依頼し、一つ一つの建築物を現地で施工することが通常である。これに対し、簡単に一時的な建築物を建てるための技術としては、下記の特許文献１，２に記載されたものが知られている。
【先行技術文献】
【特許文献】
【０００３】
【特許文献１】特開２００２−７０１７６号公報
【特許文献２】特開昭６３−１９４０７２号公報
【発明の概要】
【発明が解決しようとする課題】
【０００４】
一般に、商品を展示及び広告する会場の照明環境が、当該会場毎に異なる。商品を展示及び広告するために映像を提示する場合は、当該会場の照明環境に依存せずに、鮮やかな映像を提示する必要がある。しかし、上述した特許文献１，２には、会場の照明環境が異なっていても、鮮やかな映像で商品の展示及び広告のための映像を提示することには言及されていない。したがって、上述した特許文献１，２に記載された技術を採用しても、照明環境に依存せずに鮮やかな映像で商品の展示及び広告のための映像を提示することは実現できない。
【０００５】
また、このような展示のための設備を、展示会場に容易に運搬できることも、上述した特許文献１，２には、記載されていない。したがって、例えば大画面を用いて商品を展示及び広告するために映像を表示する設備については、言及されていない。
【０００６】
そこで、本発明は、上述した実情に鑑みて提案されたものであり、簡単な建築作業及び運搬作業により、会場の照明環境によらずに商品の広告や展示に関する映像を鮮やかに提示できる設備を一時的に構築できる展示ユニットを提供することを目的とする。
【課題を解決するための手段】
【０００７】
本発明に係る展示ユニットは、天井部と、表示部と、照明ユニットとを備える。上述の課題を解決するために、天井部は、運搬可能なサイズで構成された天井ユニットを複数個組み合わせてなる。表示部は、運搬可能なサイズで構成された表示ユニットを複数組み合わせてなり、当該複数の表示ユニットに亘るサイズの映像を表示する。照明ユニットは、天井ユニットの複数の照明埋め込み部のうちの任意の照明埋め込み部に対して装着され、当該装着状態において天井部から床部に向けて照明光を出射する。
【０００８】
本発明に係る展示ユニットにおいて、床部は、運搬可能なサイズで構成された床ユニットを複数個組み合わせてなり、当該床部の端部が、表示部の下端部に接続されていても良い。
【０００９】
本発明に係る展示ユニットにおいて、天井ユニットの照明埋め込み部は、照明ユニットが装着された装着状態において、当該照明ユニットの照明光が表示部の表示面に投影されないよう照明光を遮るルーバーを備えることが望ましい。
【００１０】
本発明に係る展示ユニットにおいて、表示部には住宅内の映像を表示し、各表示ユニットは、他の表示ユニットを組み合わせた状態で、各表示ユニットの端部同士で住宅の窓枠に見えるよう加工がされていても良い。
【発明の効果】
【００１１】
本発明に係る展示ユニットによれば、表示部及び天井部をそれぞれ複数の運搬可能なサイズで構成されたユニットで構成しており、天井部を、複数の照明埋め込み部のうちの任意の照明埋め込み部に対して照明ユニットが装着され、当該装着状態において天井部から床部に向けて照明光を出射する。これにより、この展示ユニットによれば、簡単な建築作業及び運搬作業により商品の広告及び展示を設備を一時的に構築できる。また、展示ユニットによれば、照明ユニットの位置等を調整でき、会場の照明環境によらずに商品の広告や展示に関する映像を鮮やかに提示できる設備を一時的に構築できる。
【００１２】
また、本発明に係る展示ユニットによれば、床部も、運搬可能なサイズで構成された床ユニットを複数個組み合わせてなり、当該床部の端部を、表示部の下端部に接続している。これにより、床部を階段状にして、客席よりも高い位置に説明員を立たせて、表示部の映像を説明しながら商品展示を行う展示ユニットを構築することができる。
【００１３】
更に、本発明に係る展示ユニットによれば、天井ユニットの照明埋め込み部に照明ユニットが装着された装着状態において、当該照明ユニットの照明光が表示部の表示面に投影されないよう照明光を遮るルーバーを備えている。これにより、展示ユニットは、例えば床部上の説明員や商品のための照明光が映像に影響を与えることなく、没入感の高い映像を提示できる。
【００１４】
更にまた、本発明に係る展示ユニットによれば、表示部に住宅内の映像を表示し、各表示ユニットが、他の表示ユニットを組み合わせた状態で、各表示ユニットの端部同士で住宅の窓枠に見えるよう加工がされている。これにより、喩え表示ユニット間の境界が見えてしまうときでも、当該境界を利用して、映像の没入感を低下させることを低減できる。
【図面の簡単な説明】
【００１５】
【図１】本発明の一実施形態として示す展示ユニットの斜視図である。
【図２】本発明の一実施形態として示す展示ユニットの分解斜視図である。
【図３】本発明の一実施形態として示す展示ユニットの全体を表す上面図である。
【図４】本発明の一実施形態として示す展示ユニットにおけるの床部の上面図である。
【図５】本発明の一実施形態として示す展示ユニットにおける天井部の上面図である。
【図６】本発明の一実施形態として示す展示ユニットの正面図である。
【図７】本発明の一実施形態として示す展示ユニットにおける一部の断面図である。
【図８】本発明の一実施形態として示す展示ユニットにおける照明ユニットの分解斜視図である。
【発明を実施するための形態】
【００１６】
以下、本発明の実施の形態について図面を参照して説明する。
【００１７】
本発明を適用した展示ユニットは、例えば図１に示すように構成されている。展示ユニットは、例えば、表示ユニット１Ｌ，１Ｃ，１Ｒ（以下、総称する場合には単に「表示部１」と呼ぶ。）と、床部２と、天井部３と、第１壁部４Ｌ，４Ｃ，４Ｒと、第２壁部５Ｌ，５Ｒと、第３壁部６Ｌ，６Ｒと、サブスクリーン７と、第４壁部８と、植木９と、植木用ユニット１０とを含む。なお、床部２、天井部３、壁部３〜６が升目状になっているが、これは、各部がタイル貼り仕上げとなっているためであり、無模様であっても良い。
【００１８】
このような展示ユニットは、図２に分解構成を示し、図３、図４及び図５に上面図を示し、図６に正面図を示し、図７に断面図を示す。また、図８には、天井部３に埋め込まれる照明ユニット１１を示す。
【００１９】
展示ユニットは、図２に示すように、複数のユニット（部品）を組み合わせて構成されている。各ユニットは、車両及び作業者が運搬可能なサイズとなっている。作業員は、各ユニットを展示会場に運び、組み合わせる作業を行うことにより、図１に示す展示ユニットを建てることができる。
【００２０】
展示ユニットは、展示内容を表す映像を、図２に示す複数の表示ユニット１Ｌ，１Ｃ，１Ｒに亘り表示させる。展示ユニットは、表示部１により、複数の表示ユニット１Ｌ，１Ｃ，１Ｒに亘るサイズの映像を表示させる。表示部１は、運搬可能なサイズで構成された表示ユニット１Ｌ，１Ｃ，１Ｒを複数個組み合わせてなる。
【００２１】
図２に示すように、左側の表示ユニット１Ｌ，中央の表示ユニット１Ｃ，右側の表示ユニット１Ｒは、それぞれ運搬可能なサイズとなっている。表示部１は、表示ユニット１Ｌ，１Ｃ，１Ｒといった複数個の表示ユニットを組み合わせる作業により一つの表示画面を構成する。表示ユニット１Ｌ，１Ｃ，１Ｒは、運搬可能なサイズとなっているが、この運搬可能なサイズとは、車両により運搬し、作業員が持ち運び可能なサイズである。
【００２２】
この作業員が持ち運び可能なサイズは、業務用エレベータに入るか否かにより決定される。したがって、各ユニットの最大サイズは、展示会場における業務用エレベータに入るサイズであり、実際には、作業員が台車等で持ち運べるサイズとなる。各ユニットは、それぞれ、例えば、高さが約２００ｃｍ、幅が約１００ｃｍ程度のサイズとなっている。
【００２３】
表示ユニット１Ｌ，１Ｃ，１Ｒの上部には、第１壁部４Ｌ，４Ｃ，４Ｒが組み合わされる。表示ユニット１Ｌ，１Ｃ，１Ｒの上部に第１壁部４Ｃが組み合わされ、表示ユニット１Ｌに第１壁部４Ｌが組み合わされ、表示ユニット１Ｒに第１壁部４Ｒが組み合わされる。
【００２４】
床部２は、運搬可能なサイズで構成された床ユニット２Ｌ，２Ｃａ，２Ｃｂ，２Ｒを複数個組み合わせてなる。当該床部２の端部が、表示部１の下端部に接続されている。表示ユニット１Ｌ，１Ｃ，１Ｒの下部には、床ユニット２Ｃａ，２Ｃｂが組み合わされる。
【００２５】
天井部３は、運搬可能なサイズで構成された天井ユニットを複数個組み合わせてなる。具体的には、天井部３は、中央の天井ユニット３Ｃ，左側の天井ユニット３Ｌ，右側の天井ユニット３Ｒという３個の天井ユニットを組み合わせてなる。天井ユニット３Ｌ，３Ｃ，３Ｒは、第１壁部４Ｌ，４Ｃ，４Ｒ、第２壁部５Ｌ，５Ｒ及び第３壁部６Ｌ，６Ｒと組み合わされる。これら天井ユニット３Ｌ，３Ｃ，３Ｒは、例えば、表示ユニット１Ｌ，１Ｃ，１Ｒと同様に、高さ及び幅が２００ｃｍ程度になっている。
【００２６】
天井部３の各天井ユニット３Ｌ，３Ｃ，３Ｒには、図８に示す照明ユニット１１が埋め込まれる。照明ユニット１１は、木工ボックス１１ａにＬＥＤ調光ダウンライト１１ｂを嵌め込んで構成されている。照明ユニット１１は、天井ユニット３Ｌ，３Ｃ，３Ｒの複数の照明埋め込み部のうちの任意の照明埋め込み部に対して装着され、当該装着状態において天井部３から床部２に向けて照明光を出射する。これにより、展示ユニットは、床部２に立って表示部１に表示された商品の展示内容を説明する説明員等に対して照明光を当てることもできる。
【００２７】
サブスクリーン７は、第３壁部６Ｌに隣接して組み合わされる。サブスクリーン７は、上部化粧パネル７Ｈと下部化粧パネル７Ｌにより挟まれて組み合わされる。
【００２８】
このような展示ユニットは、図３に上面図を示すように、表示部１、床部２及び天井部３の正面に、客席部２０が設けられる。展示ユニットは、客席部２０に対して、表示部１に表示された大型映像により、商品の展示内容を提示できる。
【００２９】
また、展示ユニットは、表示部１の全面に亘って背面から映像光を投影する第１プロジェクタ２１を備える。第１プロジェクタ２１は、商品の展示内容を示す映像データが供給され、当該映像データに従って映像光を投影する。なお、本実施形態における展示ユニットは、リアプロジェクション方式により映像を表示しているが、他の方式でも良い。表示ユニット１Ｌ，１Ｃ，１Ｒは、例えば自発光型の液晶表示装置であっても良い。
【００３０】
表示部１に表示される映像は、例えば、住宅内の映像である。表示部１を構成する表示ユニット１Ｌ，１Ｃ，１Ｒは、他の表示ユニットを組み合わせた状態で、各表示ユニットの端部同士で住宅の窓枠に見えるよう加工がされている（図６の加工部２ａを参照）。これにより、展示ユニットは、客席部２０からは、あたかも住宅内の様子を外から見ているような没入感を与える映像を提示できる。
【００３１】
展示ユニットは、サブスクリーン７の背面から映像光を投影する第２プロジェクタ２２を備える。第２プロジェクタ２２は、例えば、表示部１に表示する展示内容を補助するような映像を示す映像データが供給され、当該映像データに従って、サブスクリーン７に映像光を投影する。
【００３２】
なお、この展示ユニットは、表示部１及びサブスクリーン７に対して背面投影型で映像を表示させる例について説明したが、表示部１及びサブスクリーン７の斜め上方から映像光を投影しても良いことは勿論である。
【００３３】
図４には、展示ユニットの床部２を拡大した上面図を示す。図４において、表示ユニット１Ｌ，１Ｃ，１Ｒの前面には、天井部３及び床部２が設けられているが、天井部３を示さずに床部２のみを示している。
【００３４】
展示ユニットは、表示ユニット１Ｌ，１Ｃ，１Ｒに隣接して、第１壁部４Ｌ，４Ｒが組み合わされ、第１壁部４Ｌ，４Ｒに隣接して第２壁部５Ｌ，５Ｒが組み合わされ、第２壁部５Ｌ，５Ｒに隣接して第３壁部６Ｌ，６Ｒが組み合わされる。第３壁部６Ｌには、第４壁部８及び植木用ユニット１０が組み合わされる。第１壁部４Ｌ，４Ｒ、第２壁部５Ｌ，５Ｒ、第３壁部６Ｌ，６Ｒ、第４壁部８及び植木用ユニット１０は、他のユニットと同様に、車両により運搬し、作業員が持ち運び可能なサイズとなっている。
【００３５】
床部２は、図２に示したように、床ユニット２Ｌ，２Ｃａ，２Ｃｂ，２Ｒからなる。これにより、床ユニット２Ｌ，２Ｃａ，２Ｃｂ，２Ｒは、第１壁部４Ｌ，４Ｃ，４Ｒ、第２壁部５Ｌ，５Ｒ、第３壁部６Ｌ，６Ｒと組み合わされる。このような展示ユニットは、床部２と壁部が繋がれた状態に組み合わされる。上述したように、第１壁部４Ｌ，４Ｒ、第２壁部５Ｌ，５Ｒ、第３壁部６Ｌ，６Ｒ、第４壁部８及び植木用ユニット１０は、他のユニットと同様に、車両により運搬し、作業員が持ち運び可能なサイズとなっている。
【００３６】
また、展示ユニットは、表示ユニット１Ｌ，１Ｃ，１Ｒを支えるトラス構造の支持部１ａを備える。また、展示ユニットは、サブスクリーン７を支えるトラス構造の支持部７ａを備える。
【００３７】
図５には、展示ユニットの天井部３を拡大した上面図を示す。図５において、表示ユニット１Ｌ，１Ｃ，１Ｒの前面には、天井部３及び床部２が設けられているが、天井部３のみを示している。
【００３８】
天井部３は、表示ユニット１Ｌ，１Ｃ，１Ｒ、第１壁部４Ｌ，４Ｒ、第２壁部５Ｌ，５Ｒと組み合わせられる。天井部３は、格子状に成形されている。天井部３における各格子は、照明ユニット１１の木工ボックス１１ａが埋め込まれる照明埋め込み部となっている。天井部３は、複数の照明埋め込み部の任意の箇所に照明ユニット１１を埋め込むことが可能となっている。図５の例では、照明ユニット１１は、１０個が天井部３に埋め込まれている様子を示している。
【００３９】
天井ユニット３Ｌ，３Ｃ，３Ｒは、図７に示すように、表示ユニット１Ｌ，１Ｃ，１Ｒの支持部３１，３２に接続された角パイプ３３を備えている。この角パイプ３３は、天井ユニット３Ｌ，３Ｃ，３Ｒの上部に接続され、天井ユニット３Ｌ，３Ｃ，３Ｒと支持部３１，３２とを接続する。これにより、天井ユニット３Ｌ，３Ｃ，３Ｒは、表示ユニット１Ｌ，１Ｃ，１Ｒの上部に組み合わされる。
【００４０】
この展示ユニットは、天井ユニット３Ｌ，３Ｃ，３Ｒにおけるルーバー３ａが、ＬＥＤ調光ダウンライト１１ｂの照明光を規制する光遮蔽部として機能する。このルーバー３ａは、その深さＤが深いほど、ＬＥＤ調光ダウンライト１１ｂの照明光の広がりを小さくすることができる。ルーバー３ａは、照明ユニット１１が最も表示ユニット１Ｌ，１Ｃ，１Ｒに近い位置に取り付けられても、ＬＥＤ調光ダウンライト１１ｂの照明光が表示ユニット１Ｌ，１Ｃ，１Ｒに入射されない深さＤとなっていることが望ましい。
【００４１】
表示ユニット１Ｌ，１Ｃ，１Ｒの近くに天井ユニット３Ｌ，３Ｃ，３Ｒに説明員Ｐが立つ場合には、説明員Ｐを照らす照明光が表示ユニット１Ｌ，１Ｃ，１Ｒに映り込まないようにする必要がある。このために、ＬＥＤ調光ダウンライト１１ｂは、天井ユニット３Ｌ，３Ｃ，３Ｒにおける各格子における深さＤが深い位置となるよう調整される。一方、表示ユニット１Ｌ，１Ｃ，１Ｒから遠く客席部２０に近い位置に説明員Ｐが立つ場合には、大きく説明員Ｐを照らすことができる。このために、ＬＥＤ調光ダウンライト１１ｂは、天井ユニット３Ｌ，３Ｃ，３Ｒにおける各格子における深さＤが浅い位置となるよう調整される。
【００４２】
このために、天井ユニット３Ｌ，３Ｃ，３Ｒは、図７に示すような照明ユニット１１の深さ位置調整部材３ｂを各格子に備えている。この深さ位置調整部材３ｂは、ルーバー３ａの内壁に設けられた嵌め込み部に対して嵌め込まれる。この嵌め込み部は、複数段階の深さＤごとに設けられている。しがって、作業員は、照明ユニット１１の深さＤを変更したい場合に、深さ位置調整部材３ｂを任意のはめ込み部に嵌め込む。これにより、ＬＥＤ調光ダウンライト１１ｂは、天井ユニット３Ｌ，３Ｃ，３Ｒにおける各格子における深さＤが調整される。
【００４３】
なお、他の方法により照明ユニット１１の深さＤを変更しても良い。この照明ユニット１１は、図８に示す木工ボックス１１ａの筒部１１ｃの底部に、ＬＥＤ調光ダウンライト１１ｂが装着される。この筒部１１ｃにＬＥＤ調光ダウンライト１１ｂが装着された状態において、ＬＥＤ調光ダウンライト１１ｂから発せられる光の広がりは、筒部１１ｃにおける側面の長さ（深さ）に応じて規制される。ＬＥＤ調光ダウンライト１１ｂが筒部１１ｃに深く装着された場合には、光の広がりは小さくなる。一方、ＬＥＤ調光ダウンライト１１ｂに浅く装着された場合には、光の広がりは大きくなる。
【００４４】
また、照明ユニット１１は、筒部１１ｃにおけるＬＥＤ調光ダウンライト１１ｂの取り付け深さ位置を調整できることが望ましい。ＬＥＤ調光ダウンライト１１ｂの筒部１１ｃにおける深さ位置を調整することによって、ＬＥＤ調光ダウンライト１１ｂの広がりを調整できる。これにより、筒部１１ｃは、光遮蔽部として機能する。
【００４５】
表示ユニット１Ｌ，１Ｃ，１Ｒの近くに天井ユニット３Ｌ，３Ｃ，３Ｒに説明員Ｐが立つ場合には、説明員Ｐを照らす照明光が表示ユニット１Ｌ，１Ｃ，１Ｒに映り込まないようにする必要がある。このために、ＬＥＤ調光ダウンライト１１ｂは、筒部１１ｃにおける深い位置となるよう調整できる。一方、表示ユニット１Ｌ，１Ｃ，１Ｒから遠く客席部２０に近い位置に説明員Ｐが立つ場合には、大きく説明員Ｐを照らすことができる。このために、ＬＥＤ調光ダウンライト１１ｂは、筒部１１ｃにおける浅い位置となるよう調整できる。
【００４６】
これにより、展示ユニットは、照明ユニット１１からの照明光が表示部１に入射して表示部１に表示された映像に影響を与えることを回避できる。これにより、展示ユニットは、表示部１に対して没入感の高い映像を表示することを実現する。
【００４７】
また、この展示ユニットにおいて、第１プロジェクタ２１は、映写台２４に載置される。第１プロジェクタ２１は、映写台２４に載置された状態で、所定の投影角の映像光２１ａを投影することにより、表示ユニット１Ｌ，１Ｃ，１Ｒの全面に映像を表示させることができる。ここで、展示ユニットは、第１プロジェクタ２１の仕様、第１プロジェクタ２１と表示ユニット１Ｌ，１Ｃ，１Ｒとの位置関係などに基づいて、第１プロジェクタ２１と表示ユニット１Ｌ，１Ｃ，１Ｒとが所定の位置関係とされている。
【００４８】
なお、第１プロジェクタ２１は、説明員Ｐの行動を検知する赤外線カメラからの信号に基づいて、表示ユニット１Ｌ，１Ｃ，１Ｒに表示させる映像を更新しても良い。このとき、図示しないパーソナルコンピュータは、赤外線カメラにより得られた画像情報によって、説明員Ｐの手の座標位置を読み取る。パーソナルコンピュータは、手の座標位置に応じて、インタラクティブにコンテンツを変更（展開）する。これにより、展示ユニットは、説明員Ｐの操作（タッチ操作）と、説明用コンテンツの表示内容とを合わせることができ、より商品展示の効果を高めることができる。なお、説明員Ｐの手の座標を読み取る手段は、赤外線カメラを用いたものに限られない。例えば、説明員Ｐの手の座標を読み取る手段は、例えば、表示ユニット１Ｌ，１Ｃ，１Ｒにタッチパネル機構を内蔵し、説明員Ｐの手の触圧を検出して座標位置を読み取っても良い。
【００４９】
以上詳細に説明したように、本発明を適用した実施形態に係る展示ユニットによれば、表示部１及び天井部３をそれぞれ複数の運搬可能なサイズで構成されたユニットで構成している。これにより、この展示ユニットによれば、簡単な建築作業及び運搬作業により商品の広告及び展示を設備を一時的に構築できる。
【００５０】
また、天井部３は、複数の照明埋め込み部のうちの任意の照明埋め込み部に対して照明ユニット１１を装着され、当該装着状態において天井部３から床部２に向けて照明光を出射する。これにより、展示ユニットによれば、照明ユニット１１の位置等を調整でき、会場の照明環境によらずに商品の広告や展示に関する映像を鮮やかに提示できる設備を一時的に構築できる。
【００５１】
また、展示ユニットによれば、床部２も、運搬可能なサイズで構成された床ユニット２Ｌ，２Ｃａ，２Ｃｂ，２Ｒを複数個組み合わせてなり、当該床部２の端部を、表示部１の下端部に接続している。これにより、床部２を階段状にして、客席部２０よりも高い位置に説明員Ｐを立たせて、表示部１の映像を説明しながら商品展示を行う展示ユニットを構築することができる。
【００５２】
更に、この展示ユニットによれば、天井ユニット３Ｌ，３Ｃ，３Ｒの照明埋め込み部に照明ユニット１１が装着された装着状態において、当該照明ユニット１１の照明光が表示部１の表示面に投影されないよう照明光を遮るルーバー３ａを備えている。これにより、展示ユニットは、例えば床部２上の説明員Ｐや商品のための照明光が映像に影響を与えることなく、没入感の高い映像を提示できる。
【００５３】
更にまた、この展示ユニットによれば、表示部１には住宅内の映像を表示し、各表示ユニット１Ｌ，１Ｃ，１Ｒは、他の表示ユニットを組み合わせた状態で、各表示ユニットの端部同士で住宅の窓枠に見えるよう加工がされている。これにより、喩え表示ユニット１Ｌ，１Ｃ，１Ｒ間の境界が見えてしまうときでも、当該境界を利用して、映像の没入感を低下させることを低減できる。
【００５４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５５】
１  表示部
１Ｌ，１Ｃ，１Ｒ  表示ユニット
１ａ  支持部
２  床部
２Ｌ，２Ｃａ，２Ｃｂ，２Ｒ  床ユニット
３  天井部
３Ｌ，３Ｃ，３Ｒ  天井ユニット
３ａ  ルーバー
３ｂ  深さ位置調整部材
４Ｌ，４Ｃ，４Ｒ４Ｃ  第１壁部
５Ｌ，５Ｒ５Ｌ  第２壁部
６Ｌ，６Ｒ  第３壁部
７  サブスクリーン
７Ｈ  上部化粧パネル
７Ｌ  下部化粧パネル
７ａ  支持部
８  第４壁部
９  植木
１０  植木用ユニット
１１  照明ユニット
１１ａ  木工ボックス
１１ｂ  ＬＥＤ調光ダウンライト
２０  客席部
２１  第１プロジェクタ
２１ａ  映像光
２２  第２プロジェクタ
２４  映写台
３１，３２  支持部
３３  角パイプ
【図１】
2011153407.tif 000003
【図２】
2011153407.tif 000004
【図３】
2011153407.tif 000005
【図４】
2011153407.tif 000006
【図５】
2011153407.tif 000007
【図６】
2011153407.tif 000008
【図７】
2011153407.tif 000009
【図８】
2011153407.tif 000010